(57)【要約】【課題】設置場所が限定されることがなく、設置作業及びメンテナンス作業を容易に行うことができるドレンアップ装置及びこれを備えた空気調和機を提供する。【解決手段】空気調和機の室内ユニットとは別に設置されて室内ユニットのドレンを外部に排出するドレンアップ装置１の本体部２に、ドレン配管３２を介して室内ユニットに接続されるドレン口を有し本体部２内に着脱可能に収容されたドレンパン４と、このドレンパン４内のドレンを外部に排出するドレンポンプ８と、ドレンポンプ８の制御部を含み電気品カバー７で覆れた電気品と、これらの前面側を覆うほぼ箱状の前面カバー１０とを有し、この前面カバー１０の前面側を、本体部２にねじ１１により着脱可能に固定した。【選択図】図１
2010175213.tif 000002
【特許請求の範囲】
【請求項１】
空気調和機の室内ユニットとは別に設置されて前記室内ユニットのドレンを外部に排出するドレンアップ装置において、
該ドレンアップ装置の本体部に、ドレン配管を介して前記室内ユニットに接続されるドレン口を有し前記本体部内に着脱可能に収容されたドレンパンと、該ドレンパン内のドレンを外部に排出するドレンポンプと、該ドレンポンプの制御部を含み電気品カバーで覆れた電気品と、これらの前面側を覆うほぼ箱状の前面カバーとを有し、
該前面カバーの前面側を、前記本体部にねじにより着脱可能に固定したことを特徴とするドレンアップ装置。
【請求項２】
前記電気品を本体部の前面側に設け、該電気品を覆う電気品カバーの前面側に前記前面カバーを配置し、これら両カバーを前記前面カバーの前面側から前記本体部に着脱可能かつ一体的に固定したことを特徴とする請求項１記載のドレンアップ装置。
【請求項３】
前記ドレンパンの左右方向の一方の側壁に、１個又は２個のドレン口を設けたことを特徴とする請求項１又は２記載のドレンアップ装置。
【請求項４】
前記本体部の左右両側に開口部を設け、前記ドレンパンをいずれか一方の開口部から本体部内に収容し、前記ドレン口を前記本体部の一方の側に位置させたことを特徴とする請求項１〜３のいずれかに記載のドレンアップ装置。
【請求項５】
前記請求項１〜４のいずれかのドレンアップ装置を備えたことを特徴とする空気調和機。
【発明の詳細な説明】
【技術分野】
【０００１】
本発明は、空気調和機の室内ユニットとは別に設けられて、室内ユニットのドレンパン内のドレンを外部に排出するためのドレンアップ装置及びこのドレンアップ装置を備えた空気調和機に関するものである。
【背景技術】
【０００２】
空気調和機の室内ユニットには、熱交換器に発生したドレンが流入するドレンパンが設けられており、このドレンパンに流入したドレンは、通常ドレンホースにより自動的に外部に排出され、あるいはドレンパンに溜ったドレンをドレンポンプにより強制的に外部に排出するようになっている。
【０００３】
しかしながら、ドレンポンプを内蔵していない室内ユニットにおいて、設置場所などの関係から、ドレンパンに流入したドレンを強制的に排出したい場合がある。このような場合は、室内ユニットとは別にドレンアップ装置を設け、室内ユニットのドレンパン内のドレンを、このドレンアップ装置により外部に排出するようにしている。
【０００４】
図６は本発明に係る空気調和機の室内ユニットとドレンアップ装置の説明図であるが、以下、これを参照して従来のドレンアップ装置について説明する。
３０は天井等に設置された空気調和機の室内ユニットで、室内空気の吸込み口（図示せず）と吹出し口３１とを有し、両者を連通する風路中には送風機及び熱交換器（共に図示せず）が配設されている。そして、熱交換器の下部には熱交換器に発生したドレンを集めるドレンパン（図示せず）が設けられている。
【０００５】
２１は室内ユニット３０とは別に天井や壁面などに設置されたドレンアップ装置で、室内ユニット３０のドレンパンと若干の高低差を設けて、ドレンパン内のドレンが自動的にドレンアップ装置２１に流入するように、ドレン配管３２により接続されている。従来のドレンアップ装置を、図７〜図１０に示す。
【０００６】
ドレンアップ装置２１の本体部２２の下部にはドレンパン２３が設けられており、ドレンパン２３の左右両側には、いずれか一方がドレン配管３２を介して室内ユニット３０に接続されるドレン口２４ａ，２４ｂが設けられている。なお、一方のドレン口（例えば、２４ａ）がドレン配管３２に接続されたときは、他方のドレン口２４ｂは閉止栓２４ｃ（図９）により閉塞される。
【０００７】
２５はドレンパン２３の上方に設けられて、ドレンアップ装置２１を運転、制御する制御部等からなる電気品で、その外周は着脱可能にねじ止めされたカバー２６によって覆れている。また、電気品２５に隣接してドレンポンプ２７が設けられており、ドレンパン２３に溜ったドレンを外部に排出するためのドレンホース２８が接続されている。２９は前面カバーで、前面の１か所及び左右の２か所が本体部２２にねじ止めされて、着脱可能に装着されている。
【０００８】
上記のように構成したドレンアップ装置２１において、室内ユニット３０のドレンパン内のドレンは、ドレン配管３２を介してドレンアップ装置２１のドレンパン２３に自動的に流入する。そして、ドレンパン２３に溜ったドレンがあるレベルに達すると、これがレベル計（図示せず）によって検出され、この検出信号を受けた制御部（電気品２５）はドレンポンプ２７を駆動し、ドレンパン２３内のドレンをドレンパイプ２８を介して外部に排出する。
【先行技術文献】
【特許文献】
【０００９】
本発明に係るドレンアップ装置の先行技術文献について調査したが、特許文献及び非特許文献のいずれについても発見できなかった。
【発明の概要】
【発明が解決しようとする課題】
【００１０】
上記のような従来のドレンアップ装置２１は、前面カバー２９は前面の１か所及び左右２か所で本体部２２にねじで固定されており、また、電気品２５のカバー２６も本体部２２の上面にねじにより固定されているため、天井や壁面などに設置するにあたっては、設置やメンテナンスなどのために、上下左右方向に作業スペースを設ける必要がある。このため、設置場所が限定されるばかりでなく、設置作業性やメンテナンス作業性が悪いという問題があった。
【００１１】
また、ドレンパン２３は左右にドレン口２４ａ，２４ｂが設けられており、不使用のドレン口２４ａ又は２４ｂは閉止栓２４ｃにより閉塞するようにしているため、閉塞したドレン口から水漏れを生じるおそれがあった。さらに、ドレン口２４ａ，２４ｂを左右に設けたため、ドレンパン２３の有効スペースＳが狭くなり、ドレンパン２３の容積が小さくなるという問題があった。
【００１２】
本発明は、上記の課題を解決するためになされたもので、設置場所が限定されることがなく、設置作業及びメンテナンス作業を容易に行うことができ、また、ドレン口から漏水するおそれがなく、その上ドレンパンの有効スペースを広く確保することのできるドレンアップ装置及びこれを備えた空気調和機を提供することを目的としたものである。
【課題を解決するための手段】
【００１３】
本発明は、空気調和機の室内ユニットとは別に設置されて前記室内ユニットのドレンを外部に排出するドレンアップ装置において、該ドレンアップ装置の本体部に、ドレン配管を介して前記室内ユニットに接続されるドレン口を有し前記本体部内に着脱可能に収容されたドレンパンと、該ドレンパン内のドレンを外部に排出するドレンポンプと、該ドレンポンプの制御部を含み電気品カバーで覆れた電気品と、これらの前面側を覆うほぼ箱状の前面カバーとを有し、該前面カバーの前面側を、前記本体部にねじにより着脱可能に固定したものである。
【００１４】
また、本発明に係る空気調和機は、上記のドレンアップ装置を備えたものである。
【発明の効果】
【００１５】
本発明によれば、前面カバーの前面側を本体部に固定するようにしたので、設置に際して左右方向の作業スペースを設ける必要がなく、このため設置の自由度を拡大することができ、設置作業性、メンテナンス作業性を向上することができる。
【図面の簡単な説明】
【００１６】
【図１】本発明の実施の形態１に係るドレンアップ装置の分解斜視図である。
【図２】図１のドレンパンの縦断面図である。
【図３】本発明の実施の形態２に係るドレンアップ装置の分解斜視図である。
【図４】本発明の実施の形態３に係るドレンアップ装置の斜視説明図である。
【図５】本発明の実施の形態４に係るドレンアップ装置の斜視説明図である。
【図６】本発明の空気調和機の室内ユニットとドレンアップ装置との説明図である。
【図７】従来のドレンアップ装置の分解斜視図である。
【図８】従来のドレンアップ装置の分解斜視図である。
【図９】従来のドレンアップ装置の斜視説明図である。
【図１０】従来のドレンアップ装置のドレンパンの縦断面図である。
【発明を実施するための形態】
【００１７】
［実施の形態１］
図１は図６に示すように、室内ユニットにドレン配管で接続される本発明の実施の形態１に係るドレンアップ装置の分解斜視図、図２は図１のドレンパンの縦断面図である。
ドレンアップ装置１の本体部２の下部にはドレンパン４が着脱可能に収容されるドレンパン収容部３が設けられており、ドレンパン４の左右方向の一方の側壁には、ドレン配管３２によって室内ユニット３０に接続されるドレン口５が設けられている。
【００１８】
また、ドレンパン収容部３の上方には、ドレンアップ装置１を運転制御する制御部等を構成する電気品（図示せず）が配置されており、この電気品の外周は着脱可能にねじ止めされた電気品カバー７によって覆れている。８は電気品に隣接して設けられ、ドレンパン４内に溜ったドレンを吸い上げるドレンポンプで、ドレン排出用のドレンホース９が接続されている。１０は電気品カバー７を含む本体部２の前面及び両側面を着脱可能に覆うほぼ箱状の前面カバーで、前面側の１か所がねじ１１により本体部２に固定される。
【００１９】
上記のように構成したドレンアップ装置１は、図６に示すように、空気調和機の室内ユニット３０とは別に天井や壁面などに設置され、室内ユニット３０のドレンパンと、これより低い位置にあるドレンアップ装置１のドレンパン４のドレン口５とが、ドレン配管３２によって接続される。
そして、室内ユニット３０のドレンパン内のドレンは、ドレン配管３２を経て自動的にドレンアップ装置１のドレンパン４に流入する。ドレンパン４に溜ったドレンがあるレベルに達してレベル計（図示せず）がこれを検出すると、制御部（電気品）はこの検出信号に基いてドレンポンプ８を駆動し、ドレンパン４内のドレンを吸い上げてドレンホース９により外部へ排出する。
【００２０】
上記のように構成した本実施の形態に係るドレンアップ装置１によれば、前面カバー１０は前面側の１か所をねじ１１により本体部２に固定しただけなので、設置に際して左右の作業スペースを考慮する必要がなく、このため設置場所の自由度を拡大することができ、設置作業やメンテナンス作業が容易である。
また、ドレンパン４は一方の側のみにドレン口５を設けたので有効スペースＳが広くなり、これによりドレンパン４の容積を大きくすることができるため、ドレンポンプ８によるドレンの排出回数を減らすことができ、省エネルギ化を実現することができる（他の実施の形態においても同様である）。
【００２１】
［実施の形態２］
図３は本発明の実施の形態２に係るドレンアップ装置の分解斜視図である。なお、実施の形態１と同じ部分には、これと同じ符号を付してある。
本実施の形態においては、電気品６が本体部２の前面側に配置されており、前面側から電気品カバー７により電気品６を覆い、その前面側に前面カバー１０を配置して、電気品カバー７と一緒にねじ１１により本体部２に固定したものである。
【００２２】
本実施の形態によれば、電気品６を本体部２の前面側に設け、電気品カバー７と前面カバー１０とにより電気品６と本体部２の前面側を覆い、前面カバー１０の前面側からねじ１１により両者を一体的に本体部２に固定するようにしたので、天井や壁面などに設置するにあたって、上下左右の作業スペースを考慮する必要がない。このため、設置場所の自由度をより拡大することができ、設置作業やメンテナンス作業が容易になる。
【００２３】
［実施の形態３］
図４は本発明の実施の形態３に係るドレンアップ装置の斜視説明図である。なお、図４では前面カバーは省略してあり、また、実施の形態１と同じ部分には、これと同じ符号が付してある。
ドレンアップ装置は、室内ユニットの右側に設置する場合と左側に設置する場合とがある。このため、従来のドレンアップ装置は、図１０に示すように、ドレンパン２３の左右両側にドレン口２４ａ，２４ｂを設け、設置場所に応じて一方のドレン口（例えば、２４ａ）にドレン配管３２を接続し、他方のドレン口２４ｂを閉止栓２４ｃで閉塞していた。このため、前述のように、閉塞したドレン口２４ｂから漏水するおそれがあり、また、ドレンパン２３の容積が小さくなるなどの問題があった。
【００２４】
本実施の形態は、本体部２に設けたドレンパン収容部３の左右両側を開口してどちらからでもドレンパン４を収容できるように構成し、例えば、図６に示すように、室内ユニット３０の右側にドレンアップ装置１を設置する場合は、図４（ａ）に示すように、ドレンパン４をドレンパン収容部３の左側から挿入し、ドレン口５を左側に位置させる。
また、ドレンアップ装置１を室内ユニット３０の左側に設置する場合は、図４（ｂ）に示すように、ドレンパン４をドレンパン収容部３に右側から挿入し、ドレン口５を右側に位置させる。
【００２５】
本実施の形態によれば、ドレンパン４を反転させてドレンパン収容部３に収容することにより、１台のドレンアップ装置１を室内ユニット３０の左右いずれの側にも設置することができるため、設置の自由度を拡大することができる。また、ドレンパン４は一方の側のみにドレン口５を設けたのでその容積を大きくすることができ、その上不使用のドレン口を閉塞することもないので、水漏れを生ずることもない。
【００２６】
［実施の形態４］
図５は本発明の実施の形態４に係るドレンアップ装置の斜視説明図である。なお、実施の形態３と同じ部分には、これと同じ符号が付してある。
本実施の形態は、実施の形態３のドレンアップ装置１において、ドレンパン４の左右方向の一方の側壁に２つのドレン口５ａ，５ｂを並設したものである。
【００２７】
このドレンアップ装置１は、実施の形態３の場合と同様に、設置位置に応じてドレンパン４をドレン収容部３の右側又は左側の開口部から挿入し、いずれか一方のドレン口（例えば、５ａ）を室内ユニット３０のドレン配管３２に接続し、他方のドレン口５ｂを閉止栓１２ｃで閉塞する。
本実施の形態の作用、効果は実施の形態３の場合とほぼ同様であるが、さらに、室内ユニット３０からのドレン配管３２をより壁面に沿って配管することができる。
【００２８】
以上本発明に係るドレンアップ装置の実施の形態について説明したが、これら各実施の形態はそれぞれ単独で実施してもよく、あるいは適宜組合わせて実施してもよい。
【００２９】
［実施の形態５］
本実施の形態は、例えば図６に示すように、空気調和機の室内ユニット３０に、実施の形態１〜４のいずれかのドレンアップ装置１又はこれらを適宜組合わせたドレンアップ装置を設けたものである。
本実施の形態に係る空気調和機によれば、実施の形態１〜４のドレンアップ装置１の効果と併せて、省エネルギー性に優れた空気調和機を得ることができる。
【符号の説明】
【００３０】
１  ドレンアップ装置、２  本体部、３  ドレンパン収容部、４  ドレンパン、５  ドレン口、６  電気品、７  電気品カバー、８  ドレンポンプ、９  ドレンホース、１０  前面カバー、３０  室内ユニット、３２  ドレン配管。
【図１】
2010175213.tif 000003
【図２】
2010175213.tif 000004
【図３】
2010175213.tif 000005
【図４】
2010175213.tif 000006
【図５】
2010175213.tif 000007
【図６】
2010175213.tif 000008
【図７】
2010175213.tif 000009
【図８】
2010175213.tif 000010
【図９】
2010175213.tif 000011
【図１０】
2010175213.tif 000012